(57)【要約】【課題】簡易な構成によりモジュールの強固な固定が可能なモジュール保持構造を提供する。【解決手段】モジュール保持構造は、板状のモジュール２を基板に対して保持するためのものであり、ソケットハウジング４と、ソケット側端子３１と、金属製の一対のスライド部材５，５と、を有する。一対のスライド部材５，５が第１位置にあるときは、モジュール２がソケットハウジング４に嵌入可能となり、一対のスライド部材５，５が第２位置にあるときは、嵌入方向と直交する方向について対向するモジュール２の二つの縁部２ｅ，２ｅと一対のスライド部材５，５とが、嵌入方向について接触することで嵌入完了状態となる。また、一対のスライド部材５，５のそれぞれは、係止部４４に対して係止受け部５１が係止されることにより、ソケットハウジング４に対する嵌入方向手前側への変位を規制される。【選択図】図２
2008234914.tif 000002
【特許請求の範囲】
【請求項１】
複数のモジュール側端子を有する板状のモジュールを、複数の前記モジュール側端子と電気的に接続される複数の基板側端子を有する基板に対して保持するためのモジュール保持構造であって、
前記モジュールが嵌入される凹部が形成され、前記基板に対して一体的に又は別体として設けられているソケットハウジングと、
前記基板側端子と電気的に接続され、前記ソケットハウジングに取り付けられる複数のソケット側端子と、
前記ソケットハウジングに対して、前記モジュールの前記ソケットハウジングへの嵌入方向と直交する方向に沿ってスライドするように取り付けられる金属製の一対のスライド部材と、を有し、
前記ソケットハウジングは、前記一対のスライド部材のそれぞれに対応するように形成された複数の係止部を備え、且つ、前記一対のスライド部材のそれぞれは、前記係止部に対して係止されるように形成された係止受け部を備えており、
前記複数のソケット側端子のそれぞれは、前記凹部において少なくとも前記複数のモジュール側端子と接触する接触部が露出するように配置され、且つ、前記ソケットハウジングに対する前記モジュールの嵌入が完了した嵌入完了状態において、前記複数のモジュール側端子と前記複数のソケット側端子とが電気的に接続され、
前記一対のスライド部材のそれぞれは、第１位置と第２位置との間で、前記第１位置から前記第２位置へ向かうスライド方向に沿ってスライドし、
前記一対のスライド部材が前記第１位置にあるときは、前記一対のスライド部材は前記ソケットハウジングに対する前記モジュールの嵌入経路を遮断せず、前記モジュールが前記ソケットハウジングに嵌入可能となり、
前記一対のスライド部材が前記第２位置にあるときは、前記一対のスライド部材は前記嵌入経路の少なくとも一部を遮断し、且つ、前記モジュールが前記ソケットハウジングへ嵌入された状態において、前記嵌入方向と直交する方向について対向する前記モジュールの二つの縁部と前記一対のスライド部材とが、前記嵌入方向について接触することで前記嵌入完了状態となり、
前記一対のスライド部材のそれぞれは、前記係止部に対して前記係止受け部が係止されることにより、前記ソケットハウジングに対する前記嵌入方向手前側への変位を規制されることを特徴とするモジュール保持構造。
【請求項２】
前記スライド方向は、前記二つの縁部が対向する方向に沿ったものであることを特徴とする請求項１に記載のモジュール保持構造。
【請求項３】
前記モジュールは、長方形板状に形成されており、
前記スライド方向は、前記モジュールの辺方向に沿っており、
前記二つの縁部には、前記モジュールの四つの角部分が含まれることを特徴とする請求項２に記載のモジュール保持構造。
【請求項４】
前記ソケットハウジングは、底部と外周壁部とを有し且つ前記凹部は前記底部及び前記外周壁部の内側に形成され、
前記係止部及び前記係止受け部は、前記一対のスライド部材のそれぞれに対応して二つずつ設けられ、
前記一対のスライド部材のそれぞれに対応する二つの前記係止部は、前記ソケットハウジングの、前記嵌入方向及び前記スライド方向の両方に直交する方向である幅方向における両側端部に設けられ、
前記二つの係止部のそれぞれは、法線方向が前記嵌入方向に一致する係止面を有しており、且つ、当該係止面は、前記スライド方向に沿って連続するように形成されており、
前記一対のスライド部材のそれぞれは、前記嵌入完了状態において前記縁部と接触する接触面を有する接触本体部を備えて構成されており、且つ、当該接触本体部の前記幅方向の長さは、前記ソケットハウジングの前記幅方向の長さ以上であり、
前記一対のスライド部材のそれぞれに対応する二つの前記係止受け部は、前記一対のスライド部材のそれぞれにおいて、前記接触本体部の前記幅方向における両端に設けられ、且つ、当該二つの係止受け部のそれぞれは、前記係止面に対して係止される係止受け面を有していることを特徴とする請求項３に記載のモジュール保持構造。
【請求項５】
前記ソケットハウジングには、前記一対のスライド部材のそれぞれに対応する二つの浮き上がり防止用係止部が、前記スライド方向における両側端部の、前記幅方向中央部に設けられており、
前記二つの浮き上がり防止用係止部のそれぞれには、法線方向が前記嵌入方向に一致する浮き上がり防止用係止面が形成され、
前記一対のスライド部材のそれぞれにおいて、前記接触本体部の前記幅方向中央部には、前記浮き上がり防止用係止面に対して係止される浮き上がり防止用係止受け面を有する浮き上がり防止用係止受け部が形成され、
前記一対のスライド部材のそれぞれは、前記スライド部材が前記第２位置にある状態において、前記浮き上がり防止用係止部に対して前記浮き上がり防止用係止受け部が係止されることによって、前記ソケットハウジングに対する前記嵌入方向手前側への変位を規制されることを特徴とする請求項４に記載のモジュール保持構造。
【請求項６】
前記ソケットハウジングは、突出形成され、且つ、前記一対のスライド部材のそれぞれに対応して二つずつ設けられたリブ係止部を有し、
前記一対のスライド部材のそれぞれに対応する二つの前記リブ係止部は、前記ソケットハウジングの、前記幅方向における両側端部に設けられ、
前記二つのリブ係止部のそれぞれは、法線方向が前記嵌入方向に一致するリブ係止面を有し、且つ、当該リブ係止面は、前記スライド方向に沿って連続するように形成されており、
前記一対のスライド部材のそれぞれは、前記幅方向における両端に、前記接触本体部よりも前記スライド方向奥側に向かって突出形成された二つのリブ係止受け部を有し、且つ、当該二つのリブ係止受け部のそれぞれは、前記リブ係止面に対して係止されるリブ係止受け面を有しており、
前記一対のスライド部材のそれぞれは、前記二つのリブ係止部のそれぞれに対して前記リブ係止受け部が係止されることによって、前記ソケットハウジングに対する前記嵌入方向手前側への変位を規制されることを特徴とする請求項４又は５に記載のモジュール保持構造。
【請求項７】
前記一対のスライド部材のそれぞれにおいて、前記幅方向における両端には、互いの方向へ向かって折れ曲がって形成された二つのロック部が形成されており、
前記一対のスライド部材のそれぞれに対応して、前記ソケットハウジングの、前記幅方向における両側端部には、前記二つのロック部の案内溝となる二つのガイドレール部が前記スライド方向に沿って形成されており、且つ、当該二つのガイドレール部のそれぞれには、前記二つのロック部のそれぞれを受け入れるように形成された第１の被ロック部と、第２の被ロック部とが、前記スライド方向に沿って順に形成され、
前記第１位置では、前記二つのロック部のそれぞれが前記第１の被ロック部に係止され、前記一対のスライド部材は、前記第１位置よりも前記スライド方向手前側への変位を規制され、
前記第１位置に前記一対のスライド部材がある状態で、前記一対のスライド部材のそれぞれを前記スライド方向奥側へ押圧すると、前記二つのロック部のそれぞれが前記ソケットハウジングとの接触により弾性変形しつつ、前記一対のスライド部材が前記第２位置の方向へ移動し、
前記第２位置では、前記二つのロック部のそれぞれが前記第２の被ロック部に係止され、前記一対のスライド部材は、前記第２位置よりも前記スライド方向手前側への変位を規制されることを特徴とする請求項４乃至６のいずれか１項に記載のモジュール保持構造。
【請求項８】
前記一対のスライド部材のそれぞれに対応する、前記二つのガイドレール部のそれぞれにおいて、前記第１被ロック部は、前記ガイドレール部の途中に設けられたロック用凹部の、前記スライド方向手前側に形成された第１端面であり、且つ、前記第２被ロック部は、前記ガイドレール部の前記スライド方向の終端である第２端面であり、
前記二つのガイドレール部のそれぞれにおいて、前記ロック用凹部は、前記スライド方向奥側に行くに連れて深さが次第に浅くなることを特徴とする請求項７に記載のモジュール保持構造。
【請求項９】
前記ソケットハウジングは、突出形成され、且つ、前記一対のスライド部材のそれぞれに対応して二つずつ設けられたリブ係止部を有し、
前記一対のスライド部材のそれぞれに対応する二つの前記リブ係止部は、前記ソケットハウジングの、前記幅方向における両側端部に設けられ、
前記二つのリブ係止部のそれぞれは、法線方向が前記嵌入方向に一致するリブ係止面を有し、且つ、当該リブ係止面は、前記スライド方向に沿って連続するように形成されており、
前記一対のスライド部材のそれぞれは、前記幅方向における両端に、前記接触本体部よりも前記スライド方向奥側に向かって突出形成された二つのリブ係止受け部を有し、且つ、当該二つのリブ係止受け部のそれぞれは、前記リブ係止面に対して係止されるリブ係止受け面を有しており、
前記一対のスライド部材のそれぞれは、前記二つのリブ係止部のそれぞれに対して前記リブ係止受け部が係止されることによって、前記ソケットハウジングに対する前記嵌入方向手前側への変位を規制され、
前記一対のスライド部材のそれぞれにおいて、前記二つのロック部のそれぞれは、前記リブ係止受け部の前記スライド方向奥側における先端部に設けられており、且つ、前記二つのロック部のそれぞれにおいて、前記ロック部の前記嵌入方向についての幅は前記リブ係止受け部における前記嵌入方向についての幅よりも小さいことを特徴とする請求項７又は８に記載のモジュール保持構造。
【請求項１０】
前記ソケットハウジングにおいて、前記一対のスライド部材のそれぞれに対応する前記二つのガイドレール部のそれぞれの、前記嵌入方向手前側又は奥側の少なくとも一方においては、前記スライド部材のスライド動作時に、前記リブ係止受け部の内面と接触するレール面が、前記スライド方向に沿って形成されていることを特徴とする請求項９に記載のモジュール保持構造。
【請求項１１】
前記一対のスライド部材のそれぞれには、スライド動作時に用いられる被操作部が設けられており、
前記被操作部は、長板状の折り曲げ部を、前記スライド方向手前側から奥側へ曲線的に折り曲げることで形成された曲線部を有していることを特徴とする請求項４乃至１０のいずれか１項に記載のモジュール保持構造。
【請求項１２】
前記一対のスライド部材のそれぞれにおいて、前記被操作部は、前記接触本体部から連続して形成されており、前記折り曲げ部の先端部は、前記接触本体部の表面に接着されていることを特徴とする請求項１１に記載のモジュール保持構造。
【発明の詳細な説明】
【技術分野】
【０００１】
本発明は、モジュール側端子を有する板状のモジュールを、モジュール側端子と電気的に接続される基板側端子を有する基板に対して保持するためのモジュール保持構造に関する。
【背景技術】
【０００２】
従来、ＳＯＰ(Small Outline Package)等の半導体装置等の電子装置を装着するためのソケットとしては、特許文献１に記載されているようなものがある。特許文献１のソケットは、ベース１０と、ベース１０に回動可能に取り付けられる少なくとも一対のラッチ２０と、複数のコンタクト３０とを有する。ラッチ２０は、軸方向に延びる操作部２１０と、操作部２１０の両端に設けられた一対の脚部２２０と、複数の円弧状の摺動部２３０と、複数の押圧部２４０とを含んでいる。そして、ラッチ２０は、摺動部２２０を支点にして退避位置と保持位置との間を回動され、ラッチ２０が保持位置にあるときに、複数の押圧部２４０が対応するコンタクト３０を押圧する（特許文献１の図１、９、１０等参照）。
【０００３】
また、特許文献２には、モジュール（カメラモジュール）１１を、複数のコンタクトピン２４が配設されたコネクタ１２に嵌合させるためのモジュール用コネクタ装置が開示されている。このモジュール用コネクタ装置においては、コネクタ１２の中空部１９の側面の四つのコーナ部近傍にバネフック１８が設けられており、モジュール本体１３には、バネフック１８と係合する係合部１７が設けられている。そして、モジュール１１をコネクタ１２に対して押し込んでいくと、バネフック１８は弾性変形されて外側に逃がされ、モジュール１１の押し込みが許容される。そして、さらにモジュール１１を押し込むと、バネフック１８が自身の弾性力で係合部１７上に係合される（特許文献２の図１、２参照）。
【０００４】
そして、特許文献１の技術においては、一対の脚部２２０の端部には、外側に突出したフック２２１が形成されている。フック２２１は、ベース部の四隅には、直立したポスト部が設けられ、ポスト部の内壁には、内側に突出した傾斜面を有する係止部が形成されている。そして、ラッチ２０のフック２２１がベース部１０の係止部に係止されると、ラッチ２２０が保持状態となる。また、特許文献２の技術においては、モジュール１１の四隅において、バネフック１８との係合により、モジュール１１の組み込みが完了する。
【０００５】
以上のようなソケット、モジュール用コネクタ装置を用いることで、電子装置、モジュールを容易に装着、嵌合することができる。
【０００６】
【特許文献１】特開２００６−１００１８９号公報
【特許文献２】特開２００４−２４７２６４号公報
【発明の開示】
【発明が解決しようとする課題】
【０００７】
特許文献１、２に記載されているような技術は、受け側装置（ソケット、コネクタ）として、コンタクトの極数が少ないもの、コンタクトの弾性復元力が小さいもの等、電子装置やモジュールを接続する際の、コンタクトからの押し返し力が小さいものへの適用は可能である。
【０００８】
しかし、特許文献１、２の技術では、電子装置やモジュールを部分的に押圧しているのみであるので、コンタクトからの押し返し力が大きい受け側装置へ適用した場合には、電極間の接触信頼性を確保するために必要な押圧力が得られない。具体的には、特許文献１の技術ではラッチ２０が、横長に形成された操作部２１０の両端において、フック２２１によりベース部に係止されているので、複数のコンタクト３０から強い押し返し力を受けた場合には、操作部２１０の中央が撓んだり、フック２２１の係合が解除されたりするために、電子装置やモジュールを強固に固定することができないと考えられる。また、特許文献２の技術では、モジュール１１の四隅において、モジュール１１とバネフック１８とが係合するが、四隅における部分的な係合であるために、モジュール１１に対するコンタクトピン２４からの押し返し力が大きい場合には、当初の押圧状態を維持できず、電子装置やモジュールを強固に固定することができないと考えられる。
【０００９】
例えば、複数のモジュール側端子を有する板状のモジュールを、複数のモジュール側端子と電気的に接続される複数の基板側端子を有する基板に対して保持するためのモジュール保持構造においては、極数が多い、保持構造の端子が突出するように配置されている、端子の弾性復元力が大きい等の理由で、端子からの押し返し力が大きい場合がある。このようなモジュール保持構造に特許文献１、２の技術を適用しても、モジュールを強固に固定することができず、モジュールが接続の際の押し返し力により浮き上がってしまい、端子間の接触信頼性を確保することができない。
【００１０】
一方で、複雑な機構や、重量が大きな部材をモジュール保持構造に用いることにより、モジュールを強固に固定できると考えられるが、保持構造としては、簡易な構成によってモジュールを固定できることが望ましい。
【００１１】
そこで、本発明の目的は、簡易な構成によりモジュールの強固な固定が可能なモジュール保持構造を提供することである。
【課題を解決するための手段及び効果】
【００１２】
上記の目的を達成するために、本発明に係るモジュール保持構造は、複数のモジュール側端子を有する板状のモジュールを、複数の前記モジュール側端子と電気的に接続される複数の基板側端子を有する基板に対して保持するためのモジュール保持構造であって、前記モジュールが嵌入される凹部が形成され、前記基板に対して一体的に又は別体として設けられているソケットハウジングと、前記基板側端子と電気的に接続され、前記ソケットハウジングに取り付けられる複数のソケット側端子と、前記ソケットハウジングに対して、前記モジュールの前記ソケットハウジングへの嵌入方向と直交する方向に沿ってスライドするように取り付けられる金属製の一対のスライド部材と、を有する。そして、前記ソケットハウジングは、前記一対のスライド部材のそれぞれに対応するように形成された複数の係止部を備え、且つ、前記一対のスライド部材のそれぞれは、前記係止部に対して係止されるように形成された係止受け部を備えており、前記複数のソケット側端子のそれぞれは、前記凹部において少なくとも前記複数のモジュール側端子と接触する接触部が露出するように配置され、且つ、前記ソケットハウジングに対する前記モジュールの嵌入が完了した嵌入完了状態において、前記複数のモジュール側端子と前記複数のソケット側端子とが電気的に接続され、前記一対のスライド部材のそれぞれは、第１位置と第２位置との間で、前記第１位置から前記第２位置へ向かうスライド方向に沿ってスライドし、前記一対のスライド部材が前記第１位置にあるときは、前記一対のスライド部材は前記ソケットハウジングに対する前記モジュールの嵌入経路を遮断せず、前記モジュールが前記ソケットハウジングに嵌入可能となり、前記一対のスライド部材が前記第２位置にあるときは、前記一対のスライド部材は前記嵌入経路の少なくとも一部を遮断し、且つ、前記モジュールが前記ソケットハウジングへ嵌入された状態において、前記嵌入方向と直交する方向について対向する前記モジュールの二つの縁部と前記一対のスライド部材とが、前記嵌入方向について接触することで前記嵌入完了状態となり、前記一対のスライド部材のそれぞれは、前記係止部に対して前記係止受け部が係止されることにより、前記ソケットハウジングに対する前記嵌入方向手前側への変位を規制される。
【００１３】
この構成によると、モジュールをソケットハウジングに嵌入して、一対のスライド部材を第１位置から第２位置へスライド移動させると、スライド部材によって、モジュールが嵌入方向に押圧された状態でソケットハウジングの凹部に取り付けられ、接続の際の押し返し力が大きい場合であっても強固な固定が可能となる。そのため、簡易な構成によりモジュールの強固な固定が可能となる。また、スライド部材は、嵌入方向と直交する方向に沿ってスライドするため、スライド動作時に、嵌入方向高さが高くなることがないので、嵌入方向について省スペース化を図ることができる。また、例えば、第１位置の状態で工場から出荷することにより、組立時にはモジュールをセットしてスライド部材を第２位置に移動するだけとなるために、組立が容易にできる。
【００１４】
前記スライド方向は、前記二つの縁部が対向する方向に沿ったものであってもよい。これによると、簡易な構成により、モジュールの確実な保持を行うことができる。
【００１５】
前記モジュールは、長方形板状に形成されており、前記スライド方向は、前記モジュールの辺方向に沿っており、前記二つの縁部には、前記モジュールの四つの角部分が含まれていてもよい。これによると、長方形板状に形成されたモジュールの確実な保持が可能となり、接触信頼性が向上する。
【００１６】
前記ソケットハウジングは、底部と外周壁部とを有し且つ前記凹部は前記底部及び前記外周壁部の内側に形成され、前記係止部及び前記係止受け部は、前記一対のスライド部材のそれぞれに対応して二つずつ設けられ、前記一対のスライド部材のそれぞれに対応する二つの前記係止部は、前記ソケットハウジングの、前記嵌入方向及び前記スライド方向の両方に直交する方向である幅方向における両側端部に設けられ、前記二つの係止部のそれぞれは、法線方向が前記嵌入方向に一致する係止面を有しており、且つ、当該係止面は、前記スライド方向に沿って連続するように形成されており、前記一対のスライド部材のそれぞれは、前記嵌入完了状態において前記縁部と接触する接触面を有する接触本体部を備えて構成されており、且つ、当該接触本体部の前記幅方向の長さは、前記ソケットハウジングの前記幅方向の長さ以上であり、前記一対のスライド部材のそれぞれに対応する二つの前記係止受け部は、前記一対のスライド部材のそれぞれにおいて、前記接触本体部の前記幅方向における両端に設けられ、且つ、当該二つの係止受け部のそれぞれは、前記係止面に対して係止される係止受け面を有していてもよい。これによると、係止面によりスライド部材が係止される。また、係止面がスライド部材のスライドガイド面となり、スライド部材のスライド動作時において、係止面に対して係止受け面が摺動しつつ係止される。そのため、係止面及び係止受け面からなる簡易な構成により、スライド動作の安定化、及び、スライド部材の係止の両方を実現できる。
【００１７】
前記ソケットハウジングには、前記一対のスライド部材のそれぞれに対応する二つの浮き上がり防止用係止部が、前記スライド方向における両側端部の、前記幅方向中央部に設けられており、前記二つの浮き上がり防止用係止部のそれぞれには、法線方向が前記嵌入方向に一致する浮き上がり防止用係止面が形成され、前記一対のスライド部材のそれぞれにおいて、前記接触本体部の前記幅方向中央部には、前記浮き上がり防止用係止面に対して係止される浮き上がり防止用係止受け面を有する浮き上がり防止用係止受け部が形成され、前記一対のスライド部材のそれぞれは、前記スライド部材が前記第２位置にある状態において、前記浮き上がり防止用係止部に対して前記浮き上がり防止用係止受け部が係止されることによって、前記ソケットハウジングに対する前記嵌入方向手前側への変位を規制されてもよい。これによると、それぞれのスライド部材が、少なくとも３箇所で支持されることにより、一対のスライド部材の浮き上がりが効率的に防止される。
【００１８】
前記ソケットハウジングは、突出形成され、且つ、前記一対のスライド部材のそれぞれに対応して二つずつ設けられたリブ係止部を有し、前記一対のスライド部材のそれぞれに対応する二つの前記リブ係止部は、前記ソケットハウジングの、前記幅方向における両側端部に設けられ、前記二つのリブ係止部のそれぞれは、法線方向が前記嵌入方向に一致するリブ係止面を有し、且つ、当該リブ係止面は、前記スライド方向に沿って連続するように形成されており、前記一対のスライド部材のそれぞれは、前記幅方向における両端に、前記接触本体部よりも前記スライド方向奥側に向かって突出形成された二つのリブ係止受け部を有し、且つ、当該二つのリブ係止受け部のそれぞれは、前記リブ係止面に対して係止されるリブ係止受け面を有しており、前記一対のスライド部材のそれぞれは、前記二つのリブ係止部のそれぞれに対して前記リブ係止受け部が係止されることによって、前記ソケットハウジングに対する前記嵌入方向手前側への変位を規制されてもよい。これによると、モジュールのより強固な固定が可能となる。その上、接触本体部をスライド方向奥側に向けて大きくする必要がないため、スライド部材が第１位置にあるときにソケットハウジングからはみ出る部分を少なくすることができる。以上により、モジュールのより強固な固定が可能となり、且つ、省スペース化を図ることができる。
【００１９】
前記一対のスライド部材のそれぞれにおいて、前記幅方向における両端には、互いの方向へ向かって折れ曲がって形成された二つのロック部が形成されており、前記一対のスライド部材のそれぞれに対応して、前記ソケットハウジングの、前記幅方向における両側端部には、前記二つのロック部の案内溝となる二つのガイドレール部が前記スライド方向に沿って形成されており、且つ、当該二つのガイドレール部のそれぞれには、前記二つのロック部のそれぞれを受け入れるように形成された第１の被ロック部と、第２の被ロック部とが、前記スライド方向に沿って順に形成され、前記第１位置では、前記二つのロック部のそれぞれが前記第１の被ロック部に係止され、前記一対のスライド部材は、前記第１位置よりも前記スライド方向手前側への変位を規制され、前記第１位置に前記一対のスライド部材がある状態で、前記一対のスライド部材のそれぞれを前記スライド方向奥側へ押圧すると、前記二つのロック部のそれぞれが前記ソケットハウジングとの接触により弾性変形しつつ、前記一対のスライド部材が前記第２位置の方向へ移動し、前記第２位置では、前記二つのロック部のそれぞれが前記第２の被ロック部に係止され、前記一対のスライド部材は、前記第２位置よりも前記スライド方向手前側への変位を規制されてもよい。これによると、第１位置及び第２位置のそれぞれにおいて、スライド部材が係止される。また、第１位置から第２位置への変位時においてロック部が弾性変形することで、第１位置から第２位置への変位が適切に規制される。
【００２０】
前記一対のスライド部材のそれぞれに対応する、前記二つのガイドレール部のそれぞれにおいて、前記第１被ロック部は、前記ガイドレール部の途中に設けられたロック用凹部の、前記スライド方向手前側に形成された第１端面であり、且つ、前記第２被ロック部は、前記ガイドレール部の前記スライド方向の終端である第２端面であり、前記二つのガイドレール部のそれぞれにおいて、前記ロック用凹部は、前記スライド方向奥側に行くに連れて深さが次第に浅くなっていてもよい。これによると、簡易な構成により、第１位置及び第２位置のそれぞれにおいて、スライド部材が係止される。また、第１位置から第２位置への変位時にロック部が弾性変形する構成を簡易に実現できる。
【００２１】
前記ソケットハウジングは、突出形成され、且つ、前記一対のスライド部材のそれぞれに対応して二つずつ設けられたリブ係止部を有し、前記一対のスライド部材のそれぞれに対応する二つの前記リブ係止部は、前記ソケットハウジングの、前記幅方向における両側端部に設けられ、前記二つのリブ係止部のそれぞれは、法線方向が前記嵌入方向に一致するリブ係止面を有し、且つ、当該リブ係止面は、前記スライド方向に沿って連続するように形成されており、前記一対のスライド部材のそれぞれは、前記幅方向における両端に、前記接触本体部よりも前記スライド方向奥側に向かって突出形成された二つのリブ係止受け部を有し、且つ、当該二つのリブ係止受け部のそれぞれは、前記リブ係止面に対して係止されるリブ係止受け面を有しており、前記一対のスライド部材のそれぞれは、前記二つのリブ係止部のそれぞれに対して前記リブ係止受け部が係止されることによって、前記ソケットハウジングに対する前記嵌入方向手前側への変位を規制され、前記一対のスライド部材のそれぞれにおいて、前記二つのロック部のそれぞれは、前記リブ係止受け部の前記スライド方向奥側における先端部に設けられており、且つ、前記二つのロック部のそれぞれにおいて、前記ロック部の前記嵌入方向についての幅は前記リブ係止受け部における前記嵌入方向についての幅よりも小さくてもよい。これによると、スライド部材のリブ係止部全体ではなく、先端のロック部のみが撓むので、部材の撓みを先端部のみに集中させることができる。
【００２２】
前記ソケットハウジングにおいて、前記一対のスライド部材のそれぞれに対応する前記二つのガイドレール部のそれぞれの、前記嵌入方向手前側又は奥側の少なくとも一方においては、前記スライド部材のスライド動作時に、前記リブ係止受け部の内面と接触するレール面が、前記スライド方向に沿って形成されていてもよい。これによると、スライド動作がより安定する。
【００２３】
前記一対のスライド部材のそれぞれには、スライド動作時に用いられる被操作部が設けられており、前記被操作部は、長板状の折り曲げ部を、前記スライド方向手前側から奥側へ曲線的に折り曲げることで形成された曲線部を有していてもよい。これによると、第１位置から第２位置へのスライド動作時（固定動作時）に、治具による作業スペースを小さくすることができる。
【００２４】
前記一対のスライド部材のそれぞれにおいて、前記被操作部は、前記接触本体部から連続して形成されており、前記折り曲げ部の先端部は、前記接触本体部の表面に接着されていてもよい。これによると、被操作部が撓むことがないので、第２位置から第１位置へのスライド動作（固定解除動作）を、治具を用いて効率的に行うことができる。
【発明を実施するための最良の形態】
【００２５】
以下、本発明の好適な実施形態について図面を参照しつつ説明する。
【００２６】
（全体構成について）
まず、図１を参照しながら、本発明の一実施形態に係る電気的接続装置の全体構成について説明する。図１は、本実施形態に係る電気的接続装置の構成概略図である。
【００２７】
図１に示すように、モジュール保持構造１は、基板３に対してモジュール２を保持し、且つ、モジュール２を基板３に対して電気的に接続するためのものであり、ソケットハウジング４、複数のソケット側端子３１、一対のスライド部材５，５を有して構成されている。
【００２８】
モジュール２は、板状に形成され、複数のモジュール側端子２ｐ（図４参照。後述）を有している。基板３は、複数の基板側端子３ｃを有しており、複数の基板側端子３ｃは、（複数のソケット側端子３１を介して）複数のモジュール側端子２ｐと電気的に接続されるものである。ソケットハウジング４は、基板３に対して別体として設けられている。また、複数のソケット側端子３１は、ソケットハウジング４に取り付けられており、複数の基板側端子３ｃ、及び、複数のモジュール側端子２ｐと電気的に接続される。また、一対のスライド部材５,５は、ソケットハウジング４に対して、第１位置と第２位置との間でスライドするように取り付けられる金属製部材である。なお、本実施形態においては、ソケットハウジング４は、基板３に対して別体として設けられているが、基板に対して一体的に設けられたものであってもよい。
【００２９】
図２は、図１のモジュール保持構造１の構成をより具体的に示した概略図である。なお、図２以降においては、基板３を省略して示している。図２は、モジュール保持構造１において、一対のスライド部材５，５が開いた状態（第１位置にある状態）を示している。モジュール保持構造１においては、このように開いた状態の一対のスライド部材５，５においてソケットハウジング４にモジュール２を嵌入し、一対のスライド部材５，５を閉じるようにスライドさせることにより（図の矢印のスライド方向参照）、モジュール２が保持・固定された状態となる。そして、この状態（スライド部材が第２位置にある状態）において、モジュール側端子２ｐと、基板側端子３ｃとが、ソケット側端子３１を介して電気的に接続されることになる。以下、モジュール２、ソケットハウジング４、ソケット側端子３１、一対のスライド部材５，５の構成について説明する。
【００３０】
以下の説明において、嵌入方向とは、モジュールがソケットハウジングへ嵌入される方向のことであり、スライド方向とは、スライド部材５が第１位置から第２位置へ向かう方向のことである（図２等参照）。また、幅方向とは、嵌入方向及びスライド方向の両方に直交する方向のことである（図２等参照）。
【００３１】
（モジュール）
モジュール２の詳細について、図３、４等を参照しつつ説明する。図３はモジュール２の表側を示す斜視概略図であり、図４はモジュール２の裏側を示す斜視概略図である。図３、４に示すように、モジュール２は長方形板状に形成されたメモリモジュールであり、より詳細には、不揮発性半導体メモリ（フラッシュメモリ）である。
【００３２】
図３に示すように、モジュール２の表側においては、表面部２ｓと、一縁部において突出した突出縁部２ｔとが形成されている。また、図２に示すように、モジュール２には、（四つの縁部のうち）二つの縁部２ｅ，２ｅがあり、二つの縁部２ｅ，２ｅは、嵌入方向と直交する方向について対向している。そして、モジュール２がソケットハウジング４へ嵌入された状態において、スライド部材５が第２位置にあるときには、モジュール２の二つの縁部２ｅ，２ｅと一対のスライド部材５，５とが、嵌入方向について接触する（詳細については後述する）。また、図２ｓに示すように、この二つの縁部２ｅ，２ｅには、モジュール２の四つの角部分２ｃが含まれる。
【００３３】
また、図４に示すように、モジュール２の裏面においては、複数のモジュール側端子２ｐが、四辺に沿って配列されている。また、モジュール側端子２ｐは平面電極パッドである。本実施形態においてはこのように構成されているが、モジュール端子２ｐは、平面電極パッド以外であってもよい。また、モジュール２の内部には、図示しない半導体メモリチップが基板に装着されており、複数のモジュール側端子２ｐは、この半導体メモリチップと外部機器とを電気的に接続するための接続端子となっている。なお、モジュール２はこのようなフラッシュメモリには限られず、他の種類の半導体メモリであってもよい。
【００３４】
（ソケットハウジング）
まず、ソケットハウジング４の詳細について、図５、６等を参照しつつ説明する。図５は、ソケットハウジング４の上面斜視概略図であり、図６は、ソケットハウジング４の底面斜視概略図である。図５、６に示すように、ソケットハウジング４は、凹部４３を有して構成されている。凹部４３はモジュール２が嵌入されるソケット部分であり、モジュール２を受け入れられるような形状及び寸法を有している。より具体的には、ソケットハウジング４は、長方形板状の底部４１と、底部４１の周囲四方において立ち上がるように形成された外周壁部４２とを有して構成され、凹部４３は底部４１、及び、外周壁部４２の内側に形成されている（図５，６参照）。底部４１が長方形板状であり、外周壁部４２がその周囲に設けられた四つの壁部から構成されているので、凹部４３は、直方体状の空間となっている。また、図５に示すように、凹部４３は、図５における上方向（嵌入方向手前側）へと開口している。そして、上記のように、ソケットハウジング４は、基板３に対して別体として設けられている。
【００３５】
次に、スライド部材５のスライド動作とスライドハウジング４との関係について説明する。図２に示すように、モジュール２は、スライドハウジング４に対して、上面視における四つの辺方向（図３参照）が、上面視における凹部４３の四つの辺方向、及び、外周壁部４２の四つの辺方向と一致するように嵌入される（嵌入方向については図２の矢印方向参照）。そして、一対のスライド部材５，５のスライド方向は、モジュール２の、二つの縁部２ｅ，２ｅが対向する方向に沿ったものであり、且つ、モジュール２の辺方向に沿ったものである（図２の矢印方向参照）。すなわち、図５に示すように、一対のスライド部材５，５のスライド方向は、ソケットハウジングの辺方向に沿ったものとなっている。
【００３６】
また、図２に示すように、ソケットハウジング４には、複数のソケット側端子３１が取り付けられる。より具体的には、ソケットハウジング４には、互いに連通する孔部４ｈ，４ｉ，４ｊが複数形成されており、ソケット側端子３１は、これらの孔部４ｈ、４ｉ、４ｊに対して挿入される（より詳細な構成については後述する）。
【００３７】
ソケットハウジング４は、一対のスライド部材５，５のそれぞれに対応するように形成された複数の係止部４４を有して構成されている。具体的には、一対のスライド部材５，５のそれぞれのスライド部材５に対応して、係止部４４が二つずつ設けられ、その結果、計四つの係止部４４が設けられている。
【００３８】
そして、それぞれのスライド部材５に対応する二つの係止部４４，４４は、図５、６に示すように、ソケットハウジング４の、幅方向（図５、６の矢印方向参照）における両側端部に設けられている。また、一つのスライド部材５に対応する二つの係止部４４，４４のそれぞれは、法線方向が嵌入方向に一致する係止面４４ｓを有している（図６参照）。また、それぞれの係止面４４ｓは、スライド方向（図６の矢印方向参照）に沿って連続するように形成されている。
【００３９】
また、ソケットハウジング４には、一対のスライド部材５，５のそれぞれに対応する二つの浮き上がり防止用係止部４５，４５が、スライド方向における両側端部の、幅方向中央部に設けられており、二つの浮き上がり防止用係止部４５，４５のそれぞれの浮き上がり防止用係止部４５には、法線方向が嵌入方向に一致する浮き上がり防止用係止面４５ｓが形成されている（図６参照）。また、それぞれの浮き上がり防止用係止部４５には、法線方向がスライド方向の逆方向に一致するスライド方向係止面４５ｔが形成されている（図５、６参照）。
【００４０】
また、ソケットハウジング４は、突出形成され、且つ、一対のスライド部材５，５のそれぞれに対応して二つずつ設けられた、計四つのリブ係止部４６を有している。一対のスライド部材５，５のそれぞれのスライド部材５に対応する二つのリブ係止部４６，４６は、ソケットハウジング４の、幅方向における両側端部に設けられている（図５，６参照）。また、二つのリブ係止部４６，４６のそれぞれは、法線方向が嵌入方向に一致するリブ係止面４６ｓを有しており、リブ係止面４６ｓは、スライド方向に沿って連続するように形成されている。また、それぞれのリブ係止部４６の、スライド方向手前側には、スライド係止面４６ｔが設けられている（図５、６参照）。
【００４１】
また、一対のスライド部材５，５のそれぞれのスライド部材５に対応して、ソケットハウジング４の、幅方向における両側端部には、スライド部材５の二つのロック部５５（後述）の案内溝となる二つのガイドレール部４２ｇ，４２ｇがスライド方向に沿って形成されている（図５参照）。また、二つのガイドレール部４２ｇ，４２ｇのそれぞれには、二つのロック部５５，５５のそれぞれを受け入れるように形成された第１の被ロック部４７と、第２の被ロック部４８とが、スライド方向に沿って順に形成されている（図１２、１３、１４参照）。
【００４２】
より詳細には、ガイドレール部４２ｇの拡大断面図である図１４に示すように、二つのガイドレール部４２ｇ，４２ｇのそれぞれにおいて、ガイドレール部４２ｇの途中には、ロック用凹部４７ａが設けられており、第１被ロック部４７は、ロック用凹部４７ａの、スライド方向手前側に形成された第１端面４７ｓである。また、第２被ロック部４８は、ガイドレール部４２ｇのスライド方向の終端である第２端面４８ｓである。また、ロック用凹部４７ａは、スライド方向奥側に行くに連れてその深さが次第に浅くなっている。図１４の詳細については後述する。
【００４３】
ソケットハウジング４において、一対のスライド部材５，５のそれぞれに対応する二つのガイドレール部４２ｇ，４２ｇのそれぞれの、嵌入方向奥側においては、スライド部材５のスライド動作時において、リブ係止部５４の内面（後述）と接触するレール面４２ｒがスライド方向に沿って形成されている（図５参照）。本実施形態においては、レール面４２ｒが、ガイドレール部４２ｇの嵌入方向奥側に形成されているが、レール面は、ガイドレール部の嵌入方向手前側又は奥側の少なくとも一方において形成されていればよく、嵌入方向手前側、又は、手前側及び奥側の両方に形成されていてもよい。
【００４４】
（ソケット側端子）
次に、ソケット側端子３１の詳細について図７を参照しつつ説明する。ソケット側端子３１は、ソケットハウジング４により支持されるものである。また、ソケット側端子３１は、長板状（棒状）の金属を曲げて形成されるものであり、その側面図は図７のようになる。図７に示すように、ソケット側端子３１は、基板接続部３１ｄ、接触部３１ｃ、係合部３１ｅを有するように形成されている。
【００４５】
そして、ソケット側端子３１がソケットハウジングに対して装着された状態においては、ソケットハウジング４の底面の孔部４ｊを通って、ソケット側端子３１の基板接続部３１ｄがソケットハウジング４の外方へ向かって突出し、また、凹部４３において、孔部４ｈを通って、モジュール側端子２ｐと接触する接触部３１ｃが露出する。また、ソケット側端子３１は、凹部４ｉ内に係合部３１ｅが（嵌入方向奥側から手前側へ）挿入された状態となることで、ソケットハウジング４に対して装着される。また、ソケットハウジング４に装着された状態では、複数のソケット側端子３１は、凹部４３において、接触部３１ｃが嵌入方向奥側から手前側に向かって弾性的に突出するように配置される（図２参照）。
【００４６】
（スライド部材）
次に、一対のスライド部材５，５について図８、９等を参照しつつ説明する。図８は、スライド部材５の上面斜視概略図であり、図９は、スライド部材５の底面斜視概略図である。一対のスライド部材５，５は、ソケットハウジング４に対して、モジュール２のソケットハウジング４への嵌入方向と直交する方向に沿ってスライドするように取り付けられる金属製部材である。また、一対のスライド部材５，５のそれぞれは、第１位置と第２位置との間で、第１位置から第２位置へ向かうスライド方向に沿ってスライドする。また、一対のスライド部材５，５のそれぞれは同様に構成されたものであるので、以下の説明においては、一方のスライド部材５の構成を中心に説明する。
【００４７】
図８、９に示すように、それぞれのスライド部材５は、接触本体部５２、二つの係止受け部５１，５１を有して構成されている。接触本体部５２は、嵌入方向奥側（裏側）に接触面５２ｓを有しており（図９参照）、接触面５２ｓは、ソケットハウジング２に対するモジュール２の嵌入が完了した嵌入完了状態（モジュール２がソケットハウジング４へ嵌入され、且つ、一対のスライド部材５，５が第２位置にある状態）において、モジュール２の縁部２ｅと接触する。また、接触本体部５２の幅方向の長さは、ソケットハウジング４の幅方向の長さ以上となっている（図２参照）。本実施形態では、接触本体部５２の幅方向の長さは、ソケットハウジング４の幅方向の長さにほぼ等しい。
【００４８】
また、それぞれのスライド部材５は、係止部４４に対して係止されるように形成された係止受け部５１を有している。具体的には、一対のスライド部材５，５のそれぞれのスライド部材５に対応して、係止受け部５１が二つずつ設けられている（図８、９参照）。また、一対のスライド部材５，５のそれぞれのスライド部材５に対応する二つの係止受け部５１，５１は、一対のスライド部材５，５のそれぞれにおいて、接触本体部５２の幅方向における両端に、嵌入完了状態における嵌入方向に伸びるように設けられている。具体的には、二つの係止受け部５１，５１のそれぞれは、接触本体部５２に対してＬ字状に折り曲げられた垂下部５１ｄと、垂下部５１ｄに対してＬ字状に折り曲げられ、幅方向内側へ向かうように形成された先端部５１ｔと、を有している（図８、９参照）。また、この二つの係止受け部５１，５１のそれぞれは、係止面４４ｓに対して係止される係止受け面５１ｓを有しており、係止受け面５１ｓは、先端部５１ｔの嵌入方向手前側に形成されている（図８、９参照）。
【００４９】
また、スライド部材５において、接触本体部５２の幅方向中央部には、浮き上がり防止用係止受け部５３が形成されている。また、浮き上がり防止用係止受け部５３は、浮き上がり防止用係止面４５ｓに対して係止される浮き上がり防止用係止受け面５３ｓを有するように構成されている（図８、９参照）。また、浮き上がり防止用係止受け部５３には、スライド方向係止面４５ｔに対して係止されるスライド方向係止受け面５３ｔが形成されている（図９参照）。具体的には、浮き上がり防止用係止受け部５３は、接触本体部５２に対してＬ字状に折り曲げられた垂下部５３ｄと、垂下部５３ｄに対してＬ字状に折り曲げられ、スライド方向奥側へ向かうように形成された先端部５３ｖと、を有している（図８参照）そして、垂下部５３ｄにスライド方向係止受け面５３ｔが形成され、先端部５３ｖに、浮き上がり防止用係止受け面５３ｓが形成されている。
【００５０】
また、スライド部材５は、幅方向における両端に、接触本体部５２よりもスライド方向奥側に向かって突出形成された二つのリブ係止受け部５４，５４を有している。具体的には、二つのリブ係止受け部５４，５４は、二つの垂下部５１ｄ，５１ｄから連続して突出形成されている（図８、９参照）。また、この二つのリブ係止受け部５４，５４のそれぞれは、リブ係止面４６ｓに対して係止されるリブ係止受け面５４ｓを有している（図８参照）。また、リブ係止受け部の内面５４ｔ（図８、９参照）は、スライド部材５のスライド動作時に、ソケットハウジング４に形成されたレール面４２ｒと接触する。なお、本実施形態においては、リブ係止受け部は、係止受け部５１（垂下部５１ｄ）から連続して形成されているが、接触本体部５２よりもスライド方向奥側に向かって突出形成されているのであれば、このような形態には限られず、例えば、接触本体部のスライド方向手前側に係止受け部が形成され、係止部とは別に、リブ係止受け部が接触本体部のスライド方向奥側から連続形成されていてもよい。
【００５１】
また、スライド部材５において、幅方向における両端には、互いの方向へ向かって折れ曲がって形成された二つのロック部５５，５５が形成されている。より詳細には、この二つのロック部５５，５５のそれぞれは、リブ係止受け部５４のスライド方向奥側における先端部に設けられている（図８、９参照）。本実施形態においてはこのように構成されているが、スライド部材にリブ係止受け部が設けられておらず、ロック部が係止部（垂下部）に設けられていてもよい。また、ロック部が接触本体部から直接、連続形成されていてもよい。
【００５２】
また、二つのロック部５５，５５のそれぞれにおいて、ロック部５５の嵌入方向についての幅は、リブ係止受け部５４における嵌入方向についての幅よりも小さい（すなわち、ロック部５５は、リブ係止受け部５４における嵌入方向についての一部分から突出形成されている）。なお、本実施形態においては、ロック部５５は、リブ係止部５４における嵌入方向手前側において形成されているが、このような形態に限られず、嵌入方向奥側において形成されていてもよい。
【００５３】
また、図８に示すように、スライド部材５には、スライド動作時に用いられる二つの被操作部５６，５６が設けられている。二つの被操作部５６，５６のそれぞれは、接触本体部５２から連続して形成されており、長板状の折り曲げ部５６ｂを、スライド方向手前側から奥側へ曲線的に折り曲げることで形成された曲線部５６ｒを有している（図８参照）。また、折り曲げ部５６ｂの先端部は、接触本体部５２の表面に接着されている。
【００５４】
（モジュール保持構造）
モジュール保持構造１においては、上記のように構成されるソケットハウジング４に対して、一対のスライド部材５，５が、スライド方向に沿って進退可能となるように取り付けられている。
【００５５】
（接続動作）
次に、モジュール保持構造１の接続動作について図を参照しつつ説明する。図１０は、スライド部材５が第１位置にある状態を示す斜視概略図であり、図１１は、スライド部材５が第２位置にある状態を示す斜視概略図である。図１２は、スライド部材５が第１位置にある状態を示す説明概略図であり、（ａ）は図１０のＡ矢視側面図、（ｂ）はＸ−Ｘ’断面図である。図１３は、スライド部材５が第１位置にある状態を示す説明概略図であり、（ａ）は図１１のＢ矢視側面図、（ｂ）はＹ−Ｙ’断面図である。また、図１４は、図１２、１３の破線部Ｃ，Ｄを拡大して示した概略図である。図１４では、第１位置及び第２位置にあるスライド部材を一つの図面中に示しており、スライド部材が第１位置にあるときのロック部を破線で示している。
【００５６】
（第１位置）
まず、スライド部材５が第１位置にある状態について説明する。モジュール保持構造１は、工場出荷時において、図２、１０、１２に示すように、一対のスライド部材５，５が第１位置にある状態となっている。一対のスライド部材５，５が第１位置にあるときは、一対のスライド部材５，５はソケットハウジング４に対するモジュールの嵌入経路２を遮断しない。そのため、モジュール２がソケットハウジング４に嵌入可能な状態となっている（図２、１０参照）。
【００５７】
また、図１２、１４に示すように、一対のスライド部材５，５のそれぞれが第１位置にある状態では、二つのロック部５５，５５のそれぞれが第１端面４７ｓ（第１の被ロック部４７）に係止され、一対のスライド部材５，５は、第１位置よりもスライド方向手前側への変位を規制されている。また、ロック用凹部４７ａは、スライド方向奥側に行くに連れて深さが次第に浅くなっているので（図１４の、ロック用凹部４７ａの内面４７ｂ参照）、第１位置に一対のスライド部材５，５がある状態で、一対のスライド部材５，５をスライド方向奥側へ押圧するときに、所定の大きさよりも大きな力で押圧しない限り、二つのロック部５５，５５のそれぞれが内面４７ｂに当接して進まないので、一対のスライド部５，５は、スライド方向奥側への変位をも規制される（これを仮ロック状態とする）。
【００５８】
（モジュールのセット）
次に、モジュール２をソケットハウジング４に対して嵌入してセットする（図２参照）。上記のように、一対のスライド部材５，５が第１位置において仮ロック状態となっているので、一対のスライド部材５，５が開いた状態が維持されており、モジュール２を容易に嵌入することができる。
【００５９】
（スライド動作時）
次に、一対のスライド部材５，５を閉じるようにスライドする。第１位置に一対のスライド部材５，５がある状態で、一対のスライド部材５，５をスライド方向奥側へ所定の大きさよりも大きな力で押圧すると、二つのロック部５５，５５のそれぞれが、ソケットハウジング４（ロック用凹部４７ａの内面４７ｂ）との接触により弾性変形しつつ、一対のスライド部材５，５が第２位置の方向へ移動する。ここで、スライド方向は、二つの縁部２ｅ，２ｅが対向する方向に沿ったものであり、且つ、モジュール２の辺方向に沿ったものである（図２参照）。
【００６０】
また、一対のスライド部材５，５のそれぞれのスライド動作時において、二つの係止受け部５１，５１のそれぞれの係止受け面５１ｓは、係止面４４ｓに対して摺動しつつ係止される（図１０、１１参照。図５、６、８、９も合わせて参照）。また、スライド部材５のスライド動作時において、リブ係止部５４の内面５４ｔとレール面４２ｒとが接触しつつ、スライド部材５がスライドする（図１４参照）。これらにより、スライド動作が安定する。
【００６１】
また、一対のスライド部材５，５が第２位置に達すると、スライド係止面４６ｔに対して接触本体部５２が当接することで、一対のスライド部材５，５は、ソケットハウジング４に対するスライド方向奥側への変位を規制され、それ以上先へはスライド移動できなくなる（図１１、１３、１６等参照）。また、スライド方向係止面４５ｔに対してスライド方向係止受け面５３ｔが係止されることによって、一対のスライド部材５，５は、ソケットハウジング４に対するスライド方向奥側への変位を補助的に規制される。（図１３等参照）。これらにより、例えばモジュールの表面中央部に貼付物があるような場合に、その貼付物を剥がしてしまうようなことがない。また、スライド部材を、モジュールの固定に適した所定の位置に位置決めすることができる。また、スライド量をモジュールの固定が可能な最小限の量とすることができる。さらに、浮き上がり防用係止受け部５３に、スライド方向係止受け面５３ｔを形成することによって、モジュール２の浮き上がりの防止、及び、スライド部材のスライド方向についての変位の規制の両方を、簡易な構成により実現できる。
【００６２】
（第２位置）
次に、スライド部材５が第２位置にある状態について説明する。スライド移動により、一対のスライド部材５，５が第２位置にあるときは、一対のスライド部材５，５は、接触本体部５２がモジュール２の嵌入経路の一部を遮断するように配置される（図１１参照）。また、一対のスライド部材５，５が第２位置にあり、且つ、モジュール２がソケットハウジング４へ嵌入された状態においては、嵌入方向と直交する方向について対向するモジュール２の二つの縁部２ｅ，２ｅと一対のスライド部材５，５とが、嵌入方向について接触する。より具体的には、一対のスライド部材５，５のそれぞれにおいて、縁部２ｅと接触本体部５２の接触面５２ｓとが、嵌入方向について接触する（図１１等参照）。ここで、二つの縁部２ｅ，２ｅには、モジュール２の四つの角部分２ｃが含まれる（図２参照）。このような状態において、ソケットハウジング４に対するモジュール２の嵌入が完了した嵌入完了状態となる。なお、本実施形態においては、第２位置において、一対のスライド部材５，５は、嵌入経路の一部を遮断するように構成されているが、一対のスライド部材は、嵌入経路の少なくとも一部を遮断すればよく、嵌入経路を全て遮断するように構成されていてもよい。
【００６３】
また、図１３、１４に示すように、一対のスライド部材５，５のそれぞれが第２位置にある状態では、二つのロック部５５，５５のそれぞれが第２端面４８ｓ（第２の被ロック部４８）に係止され、一対のスライド部材５，５は、第２位置よりもスライド方向手前側への変位を規制されている。また、上記のように、スライド係止面４６ｔに対して接触本体部５２が当接することによって、また、スライド方向係止面４５ｔに対してスライド方向係止受け面５３ｔが係止されることによって、一対のスライド部材５，５は、ソケットハウジング４に対するスライド方向奥側への変位を規制されている。このため、第２位置においては、一対のスライド部材５，５のスライド動作が制限される（ロック状態）。
【００６４】
また、上記のように、複数のソケット側端子３１は、凹部４３において、接触部３１ｃが嵌入方向奥側から手前側へ向かって弾性的に突出するように配置されている。また、極数についても、図に示すように多い（１２８極）。そのため、ソケット側端子３１からの、嵌入方向手前側への押し返し力は大きいものとなる。そのため、モジュール２をソケットハウジング４に嵌入しても、モジュール２は、ソケット側端子３１から大きな力で押し返される。モジュール保持構造１では、嵌入完了状態において、以下に説明するような機構により、モジュール２がソケットハウジングに対して強固に固定される。
【００６５】
まず、一対のスライド部材５，５のそれぞれは、二つの係止部４４，４４（係止面４４ｓ，４４ｓ）に対して二つの係止受け部５１，５１（係止面５１ｓ，５１ｓ）が係止されることにより、ソケットハウジング４に対する嵌入方向手前側への変位を規制される（図１１等参照）。
【００６６】
また、一対のスライド部材５，５が第２位置にある状態において、浮き上がり防止用係止部４５（浮き上がり防止用係止面４５ｓ）に対して浮き上がり防止用係止受け部５３（浮き上がり防止用係止受け面５３ｓ）が係止されることによって、一対のスライド部材５，５は、ソケットハウジング４に対する嵌入方向手前側への変位を規制される（図１１、１３等参照）。これにより、接触本体部５２の中央部におけるモジュール２の浮き上がりを防止することができる。
【００６７】
また、一対のスライド部材５，５のそれぞれは、二つのリブ係止部４６，４６のそれぞれに対してリブ係止受け部５４が係止されることによって、ソケットハウジング４に対する嵌入方向手前側への変位を規制される（図１１、１３参照）。これにより、モジュール２がソケットハウジングに対してより強固に固定される。
【００６８】
そして、ソケットハウジング４に対するモジュール２の嵌入が完了した嵌入完了状態において、複数のモジュール側端子２ｐと複数のソケット側端子３１とが電気的に接続される。すなわち、この状態において、複数のモジュール側端子２ｐと、複数の基板側端子３ｃとが電気的に接続される。
【００６９】
（治具によるスライド動作について）
次に、治具を用いた、スライド部材５のスライド動作について図１５、１６を参照しつつ説明する。図１５は、治具を用いた固定動作を示す側面視概略図であり、図１６は、治具を用いた固定解除動作を示す側面視概略図である。
【００７０】
まず、モジュール２の固定動作について説明する。この場合には、図１５に示すように、曲線部５６ｒに沿った曲面を有する治具６１を用いることで、スライド部材５を、第１位置から第２位置へとスライドさせる。具体的には、治具６１を嵌入方向奥側へ押圧することにより、治具６１の曲面と、スライド部材５の曲線部５６ｒとが接触し、治具６１の曲面に押されるようにして、スライド部材５がスライド方向奥側へ移動する。このようにすることで、第１位置から第２位置へのスライド動作時（固定動作時）に、スライド方向手前側のスペースを使うことなく、嵌入方向手前側からの操作により、スライド部材５をスライドさせることができる。そのため、治具による作業スペースを小さくすることができる。
【００７１】
次に、モジュール２の固定解除動作について説明する。この場合には、図１６に示すように、折り曲げ部５６ｂの先端面５６ｓと接触する面、及び、嵌入方向に対して傾いた斜面を有する治具６２ａと、治具６２ａの斜面に対して接触するような斜面を有して形成された治具６２ｂとを、用いることで、スライド部材５を、第２位置から第１位置へとスライドさせる。具体的には、治具６２ｂを嵌入方向奥側へ押圧することにより、治具６２ｂの斜面と、治具６２ａの斜面とが接触する。そして、治具６２ｂに押されるようにして治具６２ａがスライド方向手前側へ移動し、これに伴って、治具６２ａが先端面５６ｓを押圧することにより、スライド部材５はスライド方向手前側へ移動する。このようにすることで、上記と同様に、スライド方向手前側のスペースを使うことなく、嵌入方向手前側からの操作により、スライド部材５をスライドさせることができる。
【００７２】
また、折り曲げ部５６ｂの先端部は、接触本体部５２の表面に接着されているために、被操作部５６が撓むことがないので、第２位置から第１位置へのスライド動作（固定解除動作）を、治具を用いて効率的に行うことができる。
【００７３】
（効果）
本発明に係るモジュール保持構造１により、以下のような効果が得られる。まず、本発明に係るモジュール保持構造１は、複数のモジュール側端子２ｐを有する板状のモジュール２を、複数のモジュール側端子２ｐと電気的に接続される複数の基板側端子３ｃを有する基板３に対して保持するためのモジュール保持構造１であって、モジュール２が嵌入される凹部４３が形成され、基板３に対して別体として設けられているソケットハウジング４と、基板側端子３ｃと電気的に接続され、ソケットハウジング４に取り付けられる複数のソケット側端子３１と、ソケットハウジング４に対して、モジュール２のソケットハウジング４への嵌入方向と直交する方向に沿ってスライドするように取り付けられる金属製の一対のスライド部材５，５と、を有する。そして、ソケットハウジング４は、一対のスライド部材５，５のそれぞれに対応するように形成された複数の係止部４４を備え、且つ、一対のスライド部材５，５のそれぞれは、係止部４４に対して係止されるように形成された係止受け部５１を備えており、複数のソケット側端子３１のそれぞれは、凹部４３において少なくとも複数のモジュール側端子２ｐと接触する接触部３１ｃが露出するように配置され、且つ、ソケットハウジング４に対するモジュール２の嵌入が完了した嵌入完了状態において、複数のモジュール側端子２ｐと複数のソケット側端子３１とが電気的に接続され、一対のスライド部材５，５のそれぞれは、第１位置と第２位置との間で、第１位置から第２位置へ向かうスライド方向に沿ってスライドし、一対のスライド部材５，５が第１位置にあるときは、一対のスライド部材５，５はソケットハウジング４に対するモジュール２の嵌入経路を遮断せず、モジュール２がソケットハウジング４に嵌入可能となり、一対のスライド部材５，５が第２位置にあるときは、一対のスライド部材５，５は嵌入経路の少なくとも一部を遮断し、且つ、モジュール２がソケットハウジング４へ嵌入された状態において、嵌入方向と直交する方向について対向するモジュール２の二つの縁部２ｅ，２ｅと一対のスライド部材５，５とが、嵌入方向について接触することで嵌入完了状態となり、一対のスライド部材５，５のそれぞれは、係止部４４に対して係止受け部５１が係止されることにより、ソケットハウジング４に対する嵌入方向手前側への変位を規制される。
【００７４】
この構成によると、モジュール２をソケットハウジング４に嵌入して、一対のスライド部材５，５を第１位置から第２位置へスライド移動させると、スライド部材５によって、モジュール２が嵌入方向に押圧された状態でソケットハウジング４の凹部４３に取り付けられる。そのため、極数が多い、端子が突出するように配置されている、端子の弾性復元力が大きい等の理由で、接続の際の押し返し力が大きい場合であっても、モジュールの強固な固定が可能となる。その結果、簡易な構成によりモジュール２の強固な固定が可能となる。また、スライド部材５は、嵌入方向と直交する方向に沿ってスライドするため、スライド動作時に、嵌入方向高さが高くなることがないので、嵌入方向について省スペース化を図ることができる。また、例えば、第１位置の状態で工場から出荷することにより、組立時にはモジュールをセットしてスライド部材を第２位置に移動するだけとなるために、組立が容易にできる。また、スライド部材５が金属製であることにより、スライド部材の厚みを厚くすることなく押圧力を確保することができる。
【００７５】
スライド方向は、二つの縁部２ｅ，２ｅが対向する方向に沿ったものであるので、簡易な構成により、モジュールの確実な保持を行うことができる。
【００７６】
モジュール２は、正方形板状に形成されており、スライド方向は、モジュール２の辺方向に沿っており、二つの縁部２ｅ，２ｅには、モジュール２の四つの角部分２ｃが含まれていてもよい。これによると、長方形板状に形成されたモジュールの確実な保持が可能となり、接触信頼性が向上する。本実施形態においては、モジュール２は正方形板状に形成されているが、長方形状であって、四辺の長さがすべて等しくないものであってもよい。
【００７７】
ソケットハウジング４は、底部４１と外周壁部４２とを有し且つ凹部４３は底部４１及び外周壁部４２の内側に形成され、係止部４４及び係止受け部５１は、一対のスライド部材５，５のそれぞれに対応して二つずつ設けられ、一対のスライド部材５，５のそれぞれに対応する二つの係止部４４，４４は、ソケットハウジング４の、嵌入方向及びスライド方向の両方に直交する方向である幅方向における両側端部に設けられ、二つの係止部４４，４４のそれぞれは、法線方向が嵌入方向に一致する係止面４４ｓを有しており、且つ、当該係止面４４ｓは、スライド方向に沿って連続するように形成されており、一対のスライド部材５，５のそれぞれは、嵌入完了状態において縁部２ｅと接触する接触面５２ｓを有する接触本体部５２を備えて構成されており、且つ、当該接触本体部５２の幅方向の長さは、ソケットハウジング４の幅方向の長さ以上であり、一対のスライド部材５，５のそれぞれに対応する二つの係止受け部５１，５１は、一対のスライド部材５，５のそれぞれにおいて、接触本体部５２の幅方向における両端に設けられ、且つ、当該二つの係止受け部５１，５１のそれぞれは、係止面４４ｓに対して係止される係止受け面５１ｓを有している。そのため、係止面４４ｓによりスライド部材５が係止される。また、係止面４４ｓがスライド部材５のスライドガイド面となり、スライド部材５のスライド動作時において、係止面４４ｓに対して係止受け面５１ｓが摺動しつつ係止される。そのため、係止面４４ｓ及び係止受け面５１ｓからなる簡易な構成により、スライド動作の安定化、及び、スライド部材の係止の両方を実現できる。
【００７８】
ソケットハウジング４には、一対のスライド部材５，５のそれぞれに対応する二つの浮き上がり防止用係止部４５，４５が、スライド方向における両側端部の、幅方向中央部に設けられており、二つの浮き上がり防止用係止部４５，４５のそれぞれには、法線方向が嵌入方向に一致する浮き上がり防止用係止面４５ｓ，４５ｓが形成され、一対のスライド部材５，５のそれぞれにおいて、接触本体部５２の幅方向中央部には、浮き上がり防止用係止面４５ｓに対して係止される浮き上がり防止用係止受け面５３ｓを有する浮き上がり防止用係止受け部５３が形成され、一対のスライド部材５，５のそれぞれは、スライド部材５が第２位置にある状態において、浮き上がり防止用係止部４５に対して浮き上がり防止用係止受け部５３が係止されることによって、ソケットハウジング４に対する嵌入方向手前側への変位を規制される。このため、それぞれのスライド部材が、少なくとも３箇所で支持されることにより、一対のスライド部材の浮き上がりが効率的に防止される。
【００７９】
ソケットハウジング４は、突出形成され、且つ、一対のスライド部材５，５のそれぞれに対応して二つずつ設けられたリブ係止部４６を有し、一対のスライド部材５，５のそれぞれに対応する二つのリブ係止部４６，４６は、ソケットハウジング４の、幅方向における両側端部に設けられ、二つのリブ係止部４６，４６のそれぞれは、法線方向が嵌入方向に一致するリブ係止面４６ｓを有し、且つ、当該リブ係止面４６ｓは、スライド方向に沿って連続するように形成されており、一対のスライド部材５，５のそれぞれは、幅方向における両端に、接触本体部５２よりもスライド方向奥側に向かって突出形成された二つのリブ係止受け部５４，５４を有し、且つ、当該二つのリブ係止受け部５４，５４のそれぞれは、リブ係止面４６ｓに対して係止されるリブ係止受け面５４ｓを有しており、一対のスライド部材５，５のそれぞれは、二つのリブ係止部４６，４６のそれぞれに対してリブ係止受け部５４が係止されることによって、ソケットハウジング４に対する嵌入方向手前側への変位を規制されてもよい。これによると、モジュール２のより強固な固定が可能となる。その上、接触本体部５２をスライド方向奥側に向けて大きくする必要がないため、スライド部材５が第１位置にあるときにソケットハウジング４からはみ出る部分を少なくすることができる。以上により、モジュールのより強固な固定が可能となり、且つ、省スペース化を図ることができる。
【００８０】
一対のスライド部材５，５のそれぞれにおいて、幅方向における両端には、互いの方向へ向かって折れ曲がって形成された二つのロック部５５，５５が形成されており、一対のスライド部材５，５のそれぞれに対応して、ソケットハウジング４の、幅方向における両側端部には、二つのロック部５５，５５の案内溝となる二つのガイドレール部４２ｇ，４２ｇがスライド方向に沿って形成されており、且つ、当該二つのガイドレール部４２ｇ，４２ｇのそれぞれには、二つのロック部５５，５５のそれぞれを受け入れるように形成された第１の被ロック部４７と、第２の被ロック部４８とが、スライド方向に沿って順に形成され、第１位置では、二つのロック部５５，５５のそれぞれが第１の被ロック部４７に係止され、一対のスライド部材５，５は、第１位置よりもスライド方向手前側への変位を規制され、第１位置に一対のスライド部材がある状態で、一対のスライド部材５，５のそれぞれをスライド方向奥側へ押圧すると、二つのロック部５５，５５のそれぞれがソケットハウジング４との接触により弾性変形しつつ、一対のスライド部材５，５が第２位置の方向へ移動し、第２位置では、二つのロック部５５，５５のそれぞれが第２の被ロック部４８に係止され、一対のスライド部材５，５は、第２位置よりもスライド方向手前側への変位を規制される。これにより、第１位置及び第２位置のそれぞれにおいて、スライド部材５が係止される。また、第１位置から第２位置への変位時においてロック部５５が弾性変形することで、第１位置から第２位置への変位が適切に規制される。
【００８１】
一対のスライド部材５，５のそれぞれに対応する、二つのガイドレール部４２ｇ、４２ｇのそれぞれにおいて、第１被ロック部４７は、ガイドレール部４２ｇの途中に設けられたロック用凹部４７ａの、スライド方向手前側に形成された第１端面４７ｓであり、且つ、第２被ロック部４８は、ガイドレール部４２ｇのスライド方向の終端である第２端面４８ｓであり、二つのガイドレール部４２ｇ，４２ｇのそれぞれにおいて、ロック用凹部４７ａは、スライド方向奥側に行くに連れて深さが次第に浅くなっていてもよい。これによると、簡易な構成により、第１位置及び第２位置のそれぞれにおいて、スライド部材が係止される。また、第１位置から第２位置への変位時にロック部が弾性変形する構成を簡易に実現できる。
【００８２】
ソケットハウジング４は、突出形成され、且つ、一対のスライド部材５，５のそれぞれに対応して二つずつ設けられたリブ係止部４６を有し、一対のスライド部材５，５のそれぞれに対応する二つのリブ係止部４６，４６は、ソケットハウジング４の、幅方向における両側端部に設けられ、二つのリブ係止部４６，４６のそれぞれは、法線方向が嵌入方向に一致するリブ係止面４６ｓを有し、且つ、当該リブ係止面４６ｓは、スライド方向に沿って連続するように形成されており、一対のスライド部材５，５のそれぞれは、幅方向における両端に、接触本体部５２よりもスライド方向奥側に向かって突出形成された二つのリブ係止受け部５４，５４を有し、且つ、当該二つのリブ係止受け部５４，５４のそれぞれは、リブ係止面４６ｓに対して係止されるリブ係止受け面５４ｓを有しており、一対のスライド部材５，５のそれぞれは、二つのリブ係止部４６，４６のそれぞれに対してリブ係止受け部５４が係止されることによって、ソケットハウジング４に対する嵌入方向手前側への変位を規制され、一対のスライド部材５，５のそれぞれにおいて、二つのロック部５５，５５のそれぞれは、リブ係止受け部５４のスライド方向奥側における先端部に設けられており、且つ、二つのロック部５５，５５のそれぞれにおいて、ロック部５５の嵌入方向についての幅はリブ係止受け部５４における嵌入方向についての幅よりも小さくてもよい。これによると、スライド部材のリブ係止部全体ではなく、先端のロック部のみが撓むので、部材の撓みを先端部のみに集中させることができる。
【００８３】
ソケットハウジング４において、一対のスライド部材５，５のそれぞれに対応する二つのガイドレール部４２ｇ，４２ｇのそれぞれの、嵌入方向奥側においては、スライド部材５のスライド動作時に、リブ係止受け部５４の内面と接触するレール面４２ｒが、スライド方向に沿って形成されているので、スライド動作がより安定する。
【００８４】
一対のスライド部材５，５のそれぞれには、スライド動作時に用いられる被操作部５６が設けられており、被操作部５６、長板状の折り曲げ部５６ｂを、スライド方向手前側から奥側へ曲線的に折り曲げることで形成された曲線部５６ｒを有していてもよい。これによると、第１位置から第２位置へのスライド動作時（固定動作時）に、治具による作業スペースを小さくすることができる。
【００８５】
一対のスライド部材５，５のそれぞれにおいて、被操作部５６は、接触本体部５２から連続して形成されており、折り曲げ部５６ｂの先端部は、接触本体部５２の表面に接着されていてもよい。これによると、被操作部５６が撓むことがないので、第２位置から第１位置へのスライド動作（固定解除動作）を、治具を用いて効率的に行うことができる。
【００８６】
以上のように、モジュール保持構造１を用いることで、スライド部材の動作に必要となるソケットハウジング周囲のスペースを最小限としつつ、モジュール２を確実且つ強固に固定できる。
【００８７】
（変形例）
次に、本発明に係るモジュール保持構造の変形例について、図１７、１８を参照しながら、上記の実施形態と異なる部分を中心に説明する。図１７、１８は、上記の実施形態に係るモジュール保持構造の第１、第２変形例を示す上面視説明概略図である。
【００８８】
第１変形例に係るモジュール保持構造１０１について説明する。図１７に示すように、一対のスライド部材１０５，１０５の幅方向の長さは、ソケットハウジング１０４、モジュール１０２の幅方向の長さより小さいものであってもよく、二つの縁部１０２ｅ，１０２ｅには、モジュール１０２の四つの角部分が含まれていなくてもよい。
【００８９】
次に、第２変形例に係るモジュール保持構造２０１について説明する。図１８に示すように、スライド部材２０５のスライド方向は、二つの縁部２０２ｅ，２０２ｅが対向する方向に沿ったものや、スライドモジュール２０２の辺方向に沿ったものでなくてもよく、スライド部材２０５は、二つの縁部２０２ｅ，２０２ｅの対向方向（モジュール２０２の辺方向）に対して傾いた方向にスライドしていてもよい。
【００９０】
以上、本発明の実施形態について説明したが、本発明は上述の実施の形態に限られるものではなく、特許請求の範囲に記載した限りにおいて様々に変更して実施することができるものである。
【００９１】
例えば、モジュールの形状は、長方形板状のものには限られず、その他の多角形板状のものや、円板状のものであってもよい。
【００９２】
また、浮き上がり防止用係止部、及び、浮き上がり防止用係止受け部はなくてもよいし、リブ係止部、リブ係止受け部は形成されていなくてもよい。また、ロック部及びガイドレール部はなくてもよい。また、第１の被ロック部、第２の被ロック部は、第１端面、第２端面には限られず、例えば、被ロック部以外の部分との摩擦係数の違いによりロック部を係止するようなものであってもよい。また、被操作部はなくてもよい。
【図面の簡単な説明】
【００９３】
【図１】本発明の一実施形態に係る基板及びモジュール保持構造の全体構成を示す構成概略図。
【図２】図１のモジュール保持構造の構成をより具体的に示した概略図。
【図３】図２のモジュールの表側を示す斜視概略図。
【図４】図２のモジュールの裏側を示す斜視概略図。
【図５】図２のソケットハウジング上面斜視概略図。
【図６】図２のソケットハウジングの底面斜視概略図。
【図７】図２のソケット側端子の側面概略図。
【図８】図２のスライド部材の上面斜視概略図。
【図９】図２のスライド部材の底面斜視概略図。
【図１０】図２のモジュール保持構造において、スライド部材が第１位置にある状態を示す斜視概略図。
【図１１】図２のモジュール保持構造において、スライド部材が第２位置にある状態を示す斜視概略図。
【図１２】図２のモジュール保持構造において、スライド部材が第１位置にある状態を示す説明概略図。（ａ）は図１０のＡ矢視側面図。（ｂ）はＸ−Ｘ’断面図。
【図１３】図２のモジュール保持構造において、スライド部材が第１位置にある状態を示す説明概略図。（ａ）は図１１のＢ矢視側面図。（ｂ）はＹ−Ｙ’断面図。
【図１４】図１２、１３のＣ，Ｄ拡大概略図。
【図１５】治具を用いた固定動作を示す側面視概略図。
【図１６】治具を用いた固定解除動作を示す側面視概略図。
【図１７】第１変形例に係るモジュール保持構造を示す上面視説明概略図。
【図１８】第２変形例に係るモジュール保持構造を示す上面視説明概略図。
【符号の説明】
【００９４】
１，１０１，２０１    モジュール保持構造
２，１０２，２０２    モジュール
２ｐ    モジュール側端子
２ｅ，１０２ｅ，２０２ｅ    縁部
２ｃ    角部分
３    基板
３ｃ  基板側端子
３１    ソケット側端子
３１ｃ    接触部
４，１０４，２０４    ソケットハウジング
４１    底部
４２    外周壁部
４２ａ    ロック用凹部
４２ｇ    ガイドレール部
４２ｒ    レール面
４３    凹部
４４    係止部
４４ｓ    係止面
４５    浮き上がり防止用係止部
４５ｓ    浮き上がり防止用係止面
４５ｔ    スライド方向係止面
４６    リブ係止部
４６ｓ    リブ係止面
４７    第１の被ロック部
４７ａ    ロック用凹部
４７ｓ    第１端面
４８    第２の被ロック部
４８ｓ    第２端面
５，１０５，２０５    スライド部材
５１    係止受け部
５１ｓ    係止受け面
５２    接触本体部
５２ｓ    接触面
５３    浮き上がり防止用係止受け部
５３ｓ    浮き上がり防止用係止受け面
５３ｔ    スライド方向係止受け面
５４    リブ係止受け部
５４ｓ    リブ係止受け面
５５    ロック部
５６    被操作部
５６ｂ    折り曲げ部
５６ｒ    曲線部
【図１】
2008234914.tif 000003
【図２】
2008234914.tif 000004
【図３】
2008234914.tif 000005
【図４】
2008234914.tif 000006
【図５】
2008234914.tif 000007
【図６】
2008234914.tif 000008
【図７】
2008234914.tif 000009
【図８】
2008234914.tif 000010
【図９】
2008234914.tif 000011
【図１０】
2008234914.tif 000012
【図１１】
2008234914.tif 000013
【図１２】
2008234914.tif 000014
【図１３】
2008234914.tif 000015
【図１４】
2008234914.tif 000016
【図１５】
2008234914.tif 000017
【図１６】
2008234914.tif 000018
【図１７】
2008234914.tif 000019
【図１８】
2008234914.tif 000020